(57)【要約】【課題】表示ユニットを小型化し、且つ操作表示パネルの構成を簡素化しうる車載機器用操作表示パネルを提供する。【解決手段】操作表示パネル１は、操作キー部２、表示ユニット部３、及びタッチパネル１４を備えて構成されている。【選択図】図１
2008247096.tif 000002
【特許請求の範囲】
【請求項１】
車載用の操作表示パネルであって、パネル面に表示ユニット部とタッチパネル形の操作キー部とが互いに領域を分けて並設されている車載機器用操作表示パネル。
【請求項２】
前記表示ユニット部は、バックライトと、その発光方向前方に配置された液晶パネルと、更にその前方に配された透明電極シートと、
を含む請求項１に記載の車載機器用操作表示パネル。
【請求項３】
前記操作キー部は、バックライトと、その発光方向前方に配置され操作キー画像が描画されたフィルムと、更にその前方に配された透明電極シートと、
を含む請求項１又は請求項２に記載の車載機器用操作表示パネル。
【請求項４】
前記操作キー部のバックライトとフィルムとの間に、当該バックライトの発光を拡散する拡散板が介在されている請求項３に記載の車載機器用操作表示パネル。
【発明の詳細な説明】
【技術分野】
【０００１】
本発明は、車載機器用操作表示パネルに関する。
【背景技術】
【０００２】
近年、自動車内にはカーオーディオ機器やカーナビゲーション機器等の複数の車載機器が装備されている。これらの車載機器では一つのタッチパネル型操作表示パネルを各機器間で共用する構成がとられている。
【０００３】
従来一般に、操作表示パネルは、表示画面上に情報を表示するとともに、各種操作入力用のソフトキーと称されるキー画像を各種情報に重畳させ、或いはキー操作画像を単独で表示させる構成である。また、ソフトキーとは別に、操作表示パネルの枠体にいわゆるハードキーと称される各種ボタン、スイッチ類等の操作キーが設けられている。
【０００４】
図３に、従来の操作表示パネルの一例を示す。操作表示パネル２０は、車載機器４０に備えられ、未使用時は筐体３０内に収納され、使用時は筐体３０から押し出され図３のような状態となる。操作表示パネル２０は、パネル面部２１の外周部が枠体２２によって囲まれている。パネル面部２１は、図示しないが、プリント基板上にパネル面部２１の大きさに相当する面積の発光ダイオード等からなるバックライト層を有し、その発光方向前方に液晶ユニット層が配置され、更にその前方に透明電極シートが配置されている。
【０００５】
枠体２２には機械的な機構で構成されたいわゆるハードキーである操作キー２３が設けられている。操作キー２３は比較的単純な操作を行うためのキーで、パネル面部２１の表示状態に拘らず操作可能なボタン、スイッチ類として使用される。
【０００６】
操作表示パネル２０の外形寸法は任意であるが、ＤＩＮ（Deutsche Industrie Normen：ドイツ工業規格）などの標準規格に準拠して設計されることが多く、その場合には枠体を含めた寸法の変更に制限を受けることとなる。この例では、高さｈ２は８７mmであり、幅ｗ２は１５４mmである。
【０００７】
また、特許文献１には、ディスプレイ付き車載機器が開示されている。
【特許文献１】特開平１１−２４０３８９号公報
【発明の開示】
【発明が解決しようとする課題】
【０００８】
上述したように、従来の車載機器用操作表示パネルの枠体２２には操作キー２３が設けられているが、枠体２２に操作キー２３等を別途形成することは、設計、部品、組み立てに要する費用がかかり、製作コスト増加の原因となる。また、枠体２２にハードキーを設けることによって生じる凹凸をなくし、全体を平面化（フルフラット化）したいという要請がある。
【０００９】
更に、高価な液晶表示ユニットの小型化を図って製造コストの削減をしようとしても、上記した標準規格に準拠した設計の場合、当該標準規格による制限を受け、操作パネル全体の外形寸法を変更することはできない。
【００１０】
本発明の課題は、表示ユニットを小型化し、且つ操作表示パネルの構成を簡素化しうる車載機器用操作表示パネルを提供することにある。
【課題を解決するための手段】
【００１１】
請求項１に記載の発明は、車載機器用操作表示パネルにおいて、
パネル面に表示ユニット部とタッチパネル形の操作キー部とが互いに領域を分けて並設されている。
【００１２】
請求項２に記載の発明は、請求項１に記載の車載機器用操作表示パネルにおいて、
前記表示ユニット部は、バックライトと、その発光方向前方に配置された液晶パネルと、更にその前方に配された透明電極シートと、
を含む。
【００１３】
請求項３に記載の発明は、請求項１又は請求項２に記載の車載機器用操作表示パネルにおいて、
前記操作キー部は、バックライトと、その発光方向前方に配置され操作キー画像が描画されたフィルムと、更にその前方に配された透明電極シートと、
を含む。
【００１４】
請求項４に記載の発明は、請求項３に記載の車載機器用操作表示パネルにおいて、
前記操作キー部のバックライトとフィルムとの間に、当該バックライトの発光を拡散する拡散板が介在されている。
【発明の効果】
【００１５】
本発明によれば、表示ユニットを小型化し、且つ操作表示パネルの構成を簡素化しうる車載機器用操作表示パネルを提供することができる。
【発明を実施するための最良の形態】
【００１６】
以下、図面を参照して、本発明の好適な一実施形態を説明する。ただし、発明の範囲は本実施の形態に限定されない。
【００１７】
図１及び図２に車載機器用操作表示パネルの概念図の一例を示す。図１は、車載機器用操作表示パネルの正面図であり、図２は、その側面の断面図である。図１は、図２のＢ方向から見た図であり、図２は、図１のＡ方向から見た図である。
【００１８】
操作表示パネル１は、カーナビゲーション機能やオーディオ機能などを有する車載機器に備えられ、当該車載機器の筐体に収納可能な操作表示パネルである。走行中の自車の現在位置、進行方向などのナビゲーション情報及び再生中の音楽に関する情報などの画像情報を表示し、また、カーナビゲーションやオーディオ操作のための操作キーなどを表示する。
【００１９】
図１に示すように、操作表示パネル１のパネル面の枠体４内には、車載機器の操作のための操作キー２ａを備える操作キー部２と種々の画像情報を表示する表示ユニット部３とが互いに領域を分けてそれぞれ並設されている。そして、操作キー部２及び表示ユニット部３の表面はタッチパネル１４によって覆われている。
【００２０】
タッチパネル１４は、触れられた位置に応じた操作信号をプリント基板１０へ出力する透明電極シートである。
【００２１】
このように構成されているため、プリントされた操作キー２ａが描画された位置をタッチパネル１４の上から押下すると、タッチパネル１４は、触れられた位置に応じた操作信号をプリント基板１０へ出力する。操作キー２ａは、簡単な操作を行うための操作キーであり、例えば、車載機器の電源をｏｆｆにする操作キー、ＣＤやカーナビといったソースを切り替えるためのソース切替キー等が挙げられる。
【００２２】
また、本実施形態において、操作表示パネル１の高さｈは８７mmであり、幅ｗは１５４mmである。各サイズは任意であり、これらのサイズに限定されないが、操作表示パネル１を備える車載機器のサイズ（又は形状）によって制限される。一般に、車載機器は標準規格（例えば、ＤＩＮ規格）に従って設計・製造される。従って、前記サイズはＤＩＮ規格に従って設計された車載機器に備える筐体へ収納可能な操作表示パネルとして一般的なサイズであるため、ＤＩＮ規格の車載機器においては、これらのサイズと大幅に異なるサイズとなることはない。
【００２３】
図２に示すように、操作表示パネル１は、プリント基板１０、液晶表示部１１、バックライト１２、フィルム１３、バックライト１５、及び拡散板１６を備える。その外周及び背面は、枠体４によって覆われており、液晶表示部１１及びフィルム１３の前面はタッチパネル１４で覆われている。
【００２４】
プリント基板１０は、画像情報の表示や車載機器の操作ために必要な電子用部品用の配線をその表面に施した基板であり、枠体４の内部に敷かれるように設置されている。
【００２５】
バックライト１５は、発光ダイオード等によって構成された光源であり、プリント基板１０上に搭載されている。
【００２６】
液晶表示部１１は、液晶によって構成された表示部であり、バックライト１５のその発光方向前方に搭載されており、プリント基板１０から電気信号の入力に応じて各種画像情報が表示される。
【００２７】
バックライト１２は、発光ダイオード等によって構成された光源である。バックライト１２の上方は、操作キーの形状が描画されたフィルム１３で覆われており、バックライト１２の発光時はその描画された形状が表示される。バックライト１２とフィルム１３との間には、バックライト１２からの光を均一にするための拡散板１６が介在されている。なお、バックライト１２の発光が均一であれば、拡散板１６は省略しても良い。
【００２８】
また、本実施形態では、図１に示すように、操作キー部２及び表示ユニット部３が図面上左右の方向に隣接して並べて設けられているが、この形式に限定されず、上下の方向に並べて設けられていてもよい。
【００２９】
また、操作キー部２及び表示ユニット部３が一体にタッチパネル１４によって覆われているが、この形式に限定されない。例えば、操作キー部２の上面のみがタッチパネルによって覆われることとしても良い。
【００３０】
また、操作キー部２は、簡単な操作を行うための操作キーのみを備えることとしたがこの形式に限定されず、複雑な操作を行うことが可能な操作キーを備えることとしても良い。
【００３１】
以上のように、本実施形態によれば、操作表示パネル１は、操作キー部２を備えて構成されている。また、操作表示パネル１は、枠体４のサイズを変更することなく小型化された液晶表示部１１が設けられている。
【００３２】
その結果、従来のように図３に示すような枠体２２に操作キー２３のような機械的な機構によって構成された操作キーを設ける必要はなくなり、操作キーを設けることによって必要となる部品の製造や組み立てによるコストを削減することがでる。また、枠体４に操作キーを設けるによって生じる凹凸がなくなり、枠体４を全体に渡って平面化することができる。更に、枠体４のサイズをＤＩＮなどの標準規格サイズに適合させつつ、液晶表示部１１の小型化によるコスト削減を図ることができる。
【図面の簡単な説明】
【００３３】
【図１】本実施形態における車載機器用操作表示パネルの正面の一例を示す概念図である。
【図２】本実施形態における車載機器用操作表示パネルの側面の一例を示す概念図である。
【図３】従来の操作表示パネルの正面の一例を示す概念図である。
【符号の説明】
【００３４】
１  操作表示パネル
２  操作キー部
２ａ  操作キー
３  表示ユニット部
４  枠体
１０  プリント基板
１１  液晶表示部
１２  バックライト
１３  フィルム
１４  タッチパネル
１５  バックライト
１６  拡散板
２０  操作表示パネル
２１  パネル面部
２２  枠体
２３  操作キー
３０  筐体
４０  車載機器
【図１】
2008247096.tif 000003
【図２】
2008247096.tif 000004
【図３】
2008247096.tif 000005